【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
ポリエステルポリマー；及び
前記ポリエステルポリマー中に分散された、０．００５〜１０μｍのメジアン粒度を有する金属モリブデン粒子を含んでなる、改善された再加熱を有するポリエステル組成物。
【請求項２】
ポリエステルポリマー；及び
前記ポリエステルポリマー中に分散された、０．０５〜５μｍのメジアン粒度を有する金属モリブデン粒子を含んでなる、改善された再加熱を有するポリエステル組成物。
【請求項３】
ポリエステルポリマー；及び
前記ポリエステルポリマー中に分散された、０．０５〜２μｍのメジアン粒度を有する金属モリブデン粒子を含んでなる、改善された再加熱を有するポリエステル組成物。
【請求項４】
前記金属モリブデン粒子が、ポリエステル組成物の総重量に関して、０．５〜５００ｐｐｍの量で存在する請求項１に記載のポリエステル組成物。
【請求項５】
前記金属モリブデン粒子が、ポリエステル組成物の総重量に関して、１〜１００ｐｐｍの量で存在する請求項１に記載のポリエステル組成物。
【請求項６】
前記金属モリブデン粒子が、ポリエステル組成物の総重量に関して、５〜５０ｐｐｍの量で存在する請求項１に記載のポリエステル組成物。
【請求項７】
前記ポリエステルポリマーがポリエチレンテレフタレートを含む請求項１に記載のポリエステル組成物。
【請求項８】
前記ポリエステル組成物が飲料ボトルプレフォームの形態である請求項１に記載のポリエステル組成物。
【請求項９】
前記ポリエステル組成物が飲料ボトルの形態である請求項１に記載のポリエステル組成物。
【請求項１０】
前記ポリエステル組成物が成形品の形態である請求項１に記載のポリエステル組成物。
【請求項１１】
前記ポリエステルポリマーが連続相を含み、且つ前記金属モリブデン粒子が連続相内部に分散されている請求項１に記載のポリエステル組成物。
【請求項１２】
前記金属モリブデン粒子が０．０８〜１．１μｍのメジアン粒度を有し、且つ少なくとも１．０５の再加熱指数を有するポリエステル組成物を提供すると共に、ポリエステル組成物を１．０５の再加熱指数において７０又はそれ以上のＬ*明度に保持する請求項１に記載のポリエステル組成物。
【請求項１３】
前記金属モリブデン粒子がモリブデン被覆粒子を含む請求項１に記載のポリエステル組成物。
【請求項１４】
前記金属モリブデン粒子がモリブデンを含む中空球を含む請求項１に記載のポリエステル組成物。
【請求項１５】
前記金属モリブデン粒子がモリブデン合金を含み、モリブデンが、モリブデン合金の総重量に関して、少なくとも３０重量％の量で存在する請求項１に記載のポリエステル組成物。
【請求項１６】
前記金属モリブデン粒子がモリブデン合金を含み、モリブデンが、モリブデン合金の総重量に関して、少なくとも６０重量％の量で存在する請求項１に記載のポリエステル組成物。
【請求項１７】
前記金属モリブデン粒子が、モリブデンと、ゲルマニウム、鉄、クロム、タングステン、チタン、バナジウム、炭素又はタンタルのうち１種又はそれ以上とを含むモリブデン合金を含む請求項１に記載のポリエステル組成物。
【請求項１８】
前記合金が金、銀、銅、アルミニウム、マンガン又は珪素のうち１種又はそれ以上を１０重量％以下の量で更に含む請求項１７に記載のポリエステル組成物。
【請求項１９】
前記金属モリブデン粒子がスパン（Ｓ）が０〜１０である粒度分布を有する請求項１に記載のポリエステル組成物。
【請求項２０】
前記金属モリブデン粒子がスパン（Ｓ）が０．０１〜２である粒度分布を有する請求項１に記載のポリエステル組成物。
【請求項２１】
ポリ（エチレンテレフタレート）残基がポリエステルポリマーの少なくとも９０重量％を構成するポリエステルポリマー；並びに
ポリエステルポリマー中に５〜５０ｐｐｍの量でランダムに分散された、０．０５〜２μｍのメジアン粒度を有する金属モリブデン粒子を含んでなり、１．０５又はそれ以上の再加熱指数及び再加熱指数１．０５における７０又はそれ以上のＬ*明度レベルを有する、改善された再加熱を有するポリエステル組成物。
【請求項２２】
カルボン酸ジエステルをジオールとエステル交換するか、又はジカルボン酸をジオールで直接エステル化して、１種又はそれ以上のポリエステルモノマー又はポリエステルオリゴマーを得ることを含むエステル化工程；
前記の１種又はそれ以上のポリエステルモノマー又はポリエステルオリゴマーを重縮合触媒の存在下で重縮合反応において反応させて、０．５０〜１．１ｄＬ／ｇのＩｔ．Ｖ．を有するポリエステルポリマーを生成することを含む重縮合工程；
前記ポリエステルポリマーを粒子へと固化する粒状化工程；
前記固体ポリマーを０．７０〜１．２ｄＬ／ｇのＩｔ．Ｖ，まで重合させる任意の固相化工程；並びに
前記ポリマーの１〜１００重量ｐｐｍの量となるように、金属モリブデン粒子を添加し且つ分散させることを含む粒子添加工程（ここで前記粒子添加工程は、任意の前記工程の前、間又は後において行う）
を含んでなる、ポリエステル組成物の製造方法。
【請求項２３】
前記方法が、任意の固相化工程の後に二次成形工程を更に含み、前記二次成形工程が、得られた固体ポリマーを溶融及び押出して、金属モリブデン粒子が内部に分散された二次成形品を得ることを含む請求項２２に記載の方法。
【請求項２４】
前記粒子添加工程を、任意の固相化工程の間又は後であって且つ二次成形工程の前に行う請求項２３に記載の方法。
【請求項２５】
前記粒子添加工程が、二次成形工程の前又は間に、金属モリブデン粒子を熱可塑性コンセントレートとして添加することを含み、前記熱可塑性コンセントレートが、金属モリブデン粒子を前記熱可塑性コンセントレートの重量に関して、５０〜５，０００ｐｐｍの量で含む請求項２２に記載の方法。
【請求項２６】
前記金属モリブデン粒子が０．００５〜１０μｍのメジアン粒度を有する請求項２２に記載の方法。
【請求項２７】
前記粒子添加工程を、重縮合工程の前又は間に、実施する請求項２２に記載の方法。
【請求項２８】
前記粒子添加工程を、粒状化工程の前又は間に、実施する請求項２２に記載の方法。
【請求項２９】
前記粒子添加工程を、固相化工程の前又は間に、実施する請求項２２に記載の方法。
【請求項３０】
前記粒子添加工程を、二次成形工程の前又は間に、実施する請求項２３に記載の方法。
【請求項３１】
前記ジカルボン酸がテレフタル酸を含む請求項２２に記載の方法。
【請求項３２】
前記ジカルボン酸ジエステルがテレフタル酸ジメチルを含む請求項２２に記載の方法。
【請求項３３】
前記ジオールがエチレングリコールを含む請求項２２に記載の方法。
【請求項３４】
前記ジカルボン酸がナフタレンジカルボン酸を含む請求項２２に記載の方法。
【請求項３５】
前記ジカルボン酸が芳香族ジカルボン酸を含む請求項２２に記載の方法。
【請求項３６】
前記熱可塑性コンセントレートが、熱可塑性コンセントレートの重量に基づき、０．１５重量％から３５重量％までの範囲の量の金属モリブデン粒子；及び熱可塑性コンセントレートの重量に基づき、少なくとも６５重量％の量の熱可塑性ポリマーを含む請求項２５に記載の方法。
【請求項３７】
前記熱可塑性ポリマーが、ポリエステル、ポリオレフィン又はポリカーボネートのうち１種又はそれ以上を含む請求項３６に記載の方法。
【請求項３８】
溶融又は固体バルクポリエステル及び０．００５〜１０μｍのメジアン粒度を有する金属モリブデン粒子を含む液体、溶融又は固体ポリエステルコンセントレート組成物を、プレフォーム製造機に供給して、ポリエステルプレフォームの重量に基づき、１〜１００ｐｐｍの金属モリブデン粒子を有するプレフォームを得ることを含んでなる、ポリエステルプレフォームの製造方法。
【請求項３９】
前記金属モリブデン粒子が、少なくとも０．１５重量％の量で、コンセントレート組成物中に存在する請求項３８に記載の方法。
【請求項４０】
前記コンセントレートポリエステルポリマーが前記バルクポリエステルポリマーと同じ残基を含む請求項３９に記載の方法。
【請求項４１】
前記バルクポリエステル及びポリエステルコンセントレートを別の流れで機械に供給する請求項３８に記載の方法。
【請求項４２】
前記コンセントレートポリエステルが使用済み再生ポリエステルを含む請求項３８に記載の方法。
【請求項４３】
０．００５〜１０μｍのメジアン粒度を有する金属モリブデン粒子を含むコンセントレートポリエステル組成物を、未使用ポリエステルポリマーを製造するための溶融相プロセスに添加して、ポリエステル組成物の重量に基づき、１〜１００ｐｐｍの金属モリブデン粒子を有するポリエステル組成物を得ることを含む、ポリエステル組成物の製造方法。
【請求項４４】
前記ポリエステルコンセントレートを、溶融相がポリエステルコンセントレートのＩｔ．Ｖ．の＋／−０．２Ｉｔ．Ｖ．単位以内であるＩｔ．Ｖ．を有する場合に、溶融相に添加する請求項４３に記載の方法。